(57)【要約】【課題】  内容物に変化を生じさせることなく容器を室内に安定して収納できて、サウナ入浴時等の容器の室外への出し入れ作業を不要とし得る衛生設備室の収納構造を提供する。【解決手段】  室内を暖房する暖房手段と、室内に設けられ内容物が収容された容器を収納する収納手段と、暖房手段が作動している時に収納手段に収納されている容器を冷却し得る冷却手段と、を備える。前記冷却手段は、収納手段もしくはその近傍に設けた噴出孔から冷却水もしくは冷気を噴出させて容器を冷却し、前記収納手段は、前面に開口を有する凹部形状、棚板を有する棚形状、開閉可能な蓋体を有するボックス形状等で形成される。【選択図】  図２
2006325896.tif 000002
【特許請求の範囲】
【請求項１】
室内を暖房する暖房手段と、前記室内に設けられ内容物が収容された容器を収納する収納手段と、前記暖房手段が作動している時に前記収納手段に収納されている容器を冷却し得る冷却手段と、を備えることを特徴とする衛生設備室の収納構造。
【請求項２】
前記冷却手段は、収納手段もしくはその近傍に設けた噴出孔から冷却水もしくは冷気を噴出させて容器を冷却することを特徴とする請求項１に記載の衛生設備室の収納構造。
【請求項３】
前記収納手段は、前面に開口を有する凹部形状、棚板を有する棚形状、開閉可能な蓋体を有するボックス形状のいずれかであることを特徴とする請求項１または２に記載の衛生設備室の収納構造。
【請求項４】
前記冷却手段は、温度センサにより検出された室内の検出温度が予め設定した基準温度となった際に作動することを特徴とする請求項１ないし３のいずれかに記載の衛生設備室の収納構造。
【請求項５】
前記衛生設備室が浴室であり、該浴室のカウンターエプロン、バスタブエプロン、壁パネルの少なくとも一つに前記収納手段が設けられていることを特徴とする請求項１ないし４のいずれかに記載の衛生設備室の収納構造。
【発明の詳細な説明】
【技術分野】
【０００１】
本発明は、システムバスルーム等の衛生設備室の収納構造に係わり、特に内容物が収容された容器を室内に安定して収納可能な衛生設備室の収納構造に関する。
【背景技術】
【０００２】
一般的に、システムバスルーム等の浴室においては、洗い場側の壁パネルにミラーが取り付けられると共に、このミラーの近傍等に収納棚が設置されている場合が多い。また、この種の浴室の場合、健康ブームにより、洗い場のカウンター内部や天井裏等に暖房装置を設置し、浴室内を例えば温度が４５℃程度のサウナ状態として入浴することが増えている。従来、このような浴室におけるサウナ入浴の場合に、浴室内の収納棚に収納された収納物は、浴室内から脱衣場等に出した状態で行われているのが実情である。なお、浴室の収納棚に関する文献としては、例えば特許文献１が知られている。
【特許文献１】特開２００１−２０４５５６号公報
【発明の開示】
【発明が解決しようとする課題】
【０００３】
しかしながら、このような浴室の収納棚においては、サウナ入浴時の浴室内の温度により、収納棚に収納されるシャンプーやスプレー缶等の容器の表面温度が高くなってその内容物に変化が発生する虞があること等から、前述したようにサウナ入浴時に、これらの容器を浴室内から一旦浴室外に出して入浴することが行われており、そのため、この容器の浴室に対する出し入れ作業が面倒となり易い。
【０００４】
本発明は、このような事情に鑑みてなされたもので、その目的は、内容物に変化を生じさせることなく容器を室内に安定して収納でき、サウナ入浴時等の容器の室外への出し入れ作業を不要とし得る衛生設備室の収納構造を提供することにある。
【課題を解決するための手段】
【０００５】
かかる目的を達成すべく、本発明のうち請求項１に記載の発明は、室内を暖房する暖房手段と、前記室内に設けられ内容物が収容された容器を収納する収納手段と、前記暖房手段が作動している時に前記収納手段に収納されている容器を冷却し得る冷却手段と、を備えることを特徴とする。
【０００６】
そして、前記冷却手段は、請求項２に記載の発明のように、収納手段もしくはその近傍に設けた噴出孔から冷却水もしくは冷気を噴出させて容器を冷却することが好ましい。また、前記収納手段は、請求項３に記載の発明のように、前面に開口を有する凹部形状、棚板を有する棚形状、開閉可能な蓋体を有するボックス形状のいずれかであることが好ましく、また、前記冷却手段は、請求項４に記載の発明のように、温度センサにより検出された室内の検出温度が予め設定した基準温度となった際に作動することが好ましい。さらに、請求項５に記載の発明のように、前記衛生設備室が浴室であり、該浴室のカウンターエプロン、バスタブエプロン、壁パネルの少なくとも一つに前記収納手段が設けられていることが好ましい。
【発明の効果】
【０００７】
本発明のうち請求項１に記載の発明によれば、室内を暖房する暖房手段が作動している時に、室内の収納手段に収納されている容器が冷却手段により冷却されるため、サウナ入浴時等に冷却手段により容器を冷却できて、サウナ入浴時等の容器の室外への出し入れ操作を不要とすることができる。
【０００８】
また、請求項２に記載の発明によれば、請求項１に記載の発明の効果に加え、冷却手段が収納手段もしくはその近傍に設けた噴出孔から冷却水か冷気を噴出して容器を冷却するため、冷媒としての冷却水や冷気を使用して、収納手段に収納されている容器を簡単かつ効率的に冷却することができる。
【０００９】
また、請求項３に記載の発明によれば、請求項１または２に記載の発明の効果に加え、収納手段が凹部形状、棚形状、ボックス形状のいずれかであるため、各種形状の収納手段を室内の適宜位置に設けることができて、各種衛生設備室に簡単に適用可能な収納構造を得ることができる。
【００１０】
また、請求項４に記載の発明によれば、請求項１ないし３に記載の発明の効果に加え、温度センサにより検出された室内の検出温度が予め設定した基準温度となった際に冷却手段が作動するため、温度センサの設置という簡易な構成により、容器内の内容物の温度上昇による変化が始まる前に容器を確実に冷却することができる。
【００１１】
さらに、請求項５に記載の発明によれば、請求項１ないし４に記載の発明の効果に加え、収納手段が、浴室のカウンターエプロン、バスタブエプロン、壁パネルの少なくとも一つに設けられているため、浴室の洗い場周囲の適宜位置に収納手段を配置できて、該浴室内に容器を収納したままでサウナ入浴等が可能となる。
【発明を実施するための最良の形態】
【００１２】
以下、本発明の実施の形態を図面に基づいて詳細に説明する。
図１〜図５は、本発明に係わる衛生設備室の収納構造の一実施形態を示し、図１が該収納構造を採用した浴室の斜視図、図２がそのカウンター部分の拡大図、図３が収納部の縦断面図、図４が蒸気発生装置と収納部等の接続状態の説明図、図５が収納部の設置状態の変形例を示す斜視図である。
【００１３】
図１に示すように、システムバスルーム等の浴室１は、防水パンの外周縁上に載置された４枚の壁パネル２ａ〜２ｄ（壁パネル２ｄは図示せず）と、該壁パネル２ａ〜２ｄ上に載置された例えばドーム形状の天井パネル３等によって略箱状に形成され、前記防水パンの壁パネル２ａ側にはバスタブ４が設置されると共に、このバスタブ４の側方の防水パン上には洗い場５が設けられている。また、洗い場５の壁パネル２ｂ側にはカウンター６が設置され、このカウンター６上方の壁パネル２ｂには、水栓８、シャワー９、ミラー１０及び複数枚の棚板１１ａを有する収納棚１１等が一体的に組み込まれたミラーパネル７が設置されている。
【００１４】
前記カウンター６は、その内部に暖房装置としての蒸気発生装置１２が設置されると共に、カウンターエプロン６ａの下部には吹出口１３が設けられている。また、カウンターエプロン６ａの吹出口１３の例えば右側方には、本発明に係わる収納手段としての収納部１４が配置されている。この収納部１４は、図２及び図３に示すように、例えば樹脂成形によって形成された左右の側壁１４ａ、上面壁１４ｂ、水勾配を有する底面壁１４ｃ及び背面壁１４ｄとで前面側に開口１４ｅを有する凹部形状とされ、内部の高さ方向の略中間位置には金網や板体からなる棚板１４ｆが着脱可能に配置されている。また、収納部１４は、その開口１４ｅの全周にフランジ１４ｇが一体形成され、このフランジ１４ｇがカウンターエプロン６ａの開口１５の外周に浴室１内側から当接しつつシールされて固着されることにより、開口１４ｅが洗い場５に開口した状態、すなわちカウンターエプロン６ａに埋設状態で配置されている。
【００１５】
そして、この収納部１４の側壁１４ａと上面壁１４ｂの開口１４ｅ側には、図４に示すように、正面視で略コ字状に形成された噴出管１６が配置され、この噴出管１６の各壁１４ａ、１４ｂに対応する部分には収納部１４の内側（斜め後方で背面壁１４ｄ側）に向けて噴出孔１６ａ（図３参照）が複数個ずつ穿設されている。この噴出孔１６ａが穿設される噴出管１６は、電磁弁１７を介して水道配管等の給水源１８に接続され、電磁弁１７にはコントローラ１９が接続されている。
【００１６】
また、コントローラ１９には、収納部１４の内側の適宜位置に配置された熱電対等の温度センサ２０が接続されると共に前記蒸気発生装置１２の制御部１２ａが接続されている。この噴出孔１６ａを有する噴出管１６、電磁弁１７、コントローラ１９及び給水源１８等により直接的な本発明の冷却手段が形成されている。なお、この例では、噴出管１６をコ字状に形成して収納部１４の側壁１４ａと上面壁１４ｂ部分に配置したが、例えば上面壁１４ｂ部分にのみ配置しても良いし、ロ字状に形成して収納部１４の開口１４ｅ全周に配置するようにしても良く、また、噴出管１６を各壁１４ａ〜１４ｃに突出状態ではなく埋設状態で配置することもできる。
【００１７】
前記蒸気発生装置１２は、フィン上部に湯水が放散されることにより蒸気を発生させることが可能な図示しない熱交換器や送風ファンと、これらを制御する制御部１２ａ等を有している。そして、この蒸気発生装置１２は、例えばカウンターエプロン６ａの吹出口１３から湿った温風である蒸気を吹き出すことにより、浴室１内をサウナ状態にしたり、蒸気を発生させずに乾いた温風を吹出口１３から炊き出すことにより、浴室１内を乾燥したドライ暖房状態に設定し得るように構成されている。なお、前記コントローラ１９は、蒸気発生装置１２の前記制御部１２ａと別体で形成することもできるが、制御部１２ａに一体的に組み込んで、その構成の簡素化を図ることも勿論可能である。
【００１８】
そして、この蒸気発生装置１２の作動状態に係わる信号が制御部１２ａからコントローラ１９に入力されることにより、電磁弁１７がコントローラ１９からの開閉信号により開閉制御され噴出管１６を介して冷媒としての冷却水が収納部１４内に散水されるようになっている。すなわち、蒸気発生装置１２の制御部１２ａに接続されたリモコン等（図示せず）の操作により浴室１内の運転状態がサウナ状態に設定されると、蒸気発生装置１２が作動して吹出口１３から蒸気が浴室１内に炊き出されると共に、蒸気発生装置１２の作動と同時（もしくは所定時間後）に制御部１２ａから蒸気発生装置１２の作動信号がコントローラ１９に出力される。
【００１９】
コントローラ１９は、制御部１２ａから蒸気発生装置１２の作動信号が入力されると、温度センサ２０の検出温度を該コントローラ１９に予め設定してある基準温度と比較して、検出温度が基準温度以上になった際に、電磁弁１７に開信号を出力して該電磁弁１７を開く。なお、コントローラ１９に記憶される基準温度は、浴室１内で使用されるシャンプーやスプレー管等の容器２１（図２参照）の内容物に熱膨張や性能劣化等の変化が生じない例えば４０℃程度が使用される。
【００２０】
そして、コントローラ１９の開信号により電磁弁１７が開くと、給水源１８から冷却水（水道水）が噴出管１６に供給されて、該噴出管１６の噴出孔１６ａから図２及び図３の矢印イの如く収納部１４内に散水（噴出）され、この冷却水の収納部１４内への散水により、冷却水が収納部１４内に収納されている容器２１の外表面に直接浴びせられて冷却される。この時、噴出管１６の噴出孔１６ａが収納部１４の各壁１４ａ、１４ｂ（もしくは各壁１４ａ〜１４ｃ）に対応して複数設けられていることから、冷却水が収納部１４内に効果的に散水されて、容器２１の外周面全域を良好に冷却することができる。この冷却水による容器２１の冷却により、サウナ状態によって浴室１内の温度が４５℃程度になった場合でも、収納部１４内の温度は４０℃程度に維持され、容器２１内の内容物の温度上昇による前述した変化が防止されることになる。
【００２１】
つまり、浴室１内に配置される凹部形状の収納部１４内の温度が基準温度以上となった際に、噴出孔１６ａを有する噴出管１６、電磁弁１７、コントローラ１９等からなる直接冷却手段が作動することにより、収納部１４内に冷却水が散水されて容器２１に直接浴びせられて該容器２１が冷却され、容器２１の内容物の変化等が防止されることになる。なお、直接冷却手段は、サウナ状態時の作動に限らず、蒸気発生装置１２が作動して浴室１内が乾いた温風で暖房されるドライ暖房状態の時にも作動して収納部１４内に散水されるようになっている。
【００２２】
ところで、以上の説明においては、噴出管１６が設けられた収納部１４をカウンターエプロン６ａの右側部に配置する例について説明したが、この収納部１４を例えばカウンターエプロン６ａの左側部に配置したり、あるいは図５に示すようにバスタブエプロン４ａに配置することもできる。このバスタブエプロン４ａに配置する場合は、バスタブエプロン４ａのカウンター６側に前記開口１５と同様の開口を設け、この開口裏側の空間を利用しつつ収納部１４の前記フランジ１４ｇをバスタブエプロン４ａの表面に当接してシールしつつ固定することにより、開口１４ｅが洗い場５側に開口した状態で収納部１４が配置される。この例の収納部１４も、カウンターエプロン６ａに配置した収納部１４と同様に動作して、内部に収納されている容器２１が散水される冷却水で直接冷却されることになる。
【００２３】
このように、上記実施形態の収納構造にあっては、浴室１内をサウナ状態やドライ暖房状態とし得る蒸気発生装置１２が作動している時に、直接冷却手段が作動して噴出管１６の噴出孔１６ａから冷却水が収納部１４内に散水されるため、収納部１４に収納されている容器２１を冷却水により直接冷却することができて、内容物に温度上昇による変化を生じさせることなく容器２１を浴室１内の収納部１４に安定収納した状態で、サウナ入浴や暖房入浴を行うことができ、これらの入浴の際に従来のように容器２１を一々浴室１外に取り出す必要がなくなる。
【００２４】
また、蒸気発生装置１２が作動した状態で、かつ収納部１４の温度が基準温度以上となった際に、収納部１４内に散水する電磁弁１７や噴出管１６、コントローラ１９等からなる直接冷却手段が作動するため、所定温度以上の収納部１４内に直接冷却手段により冷却水を確実に散水することができる。これらのことから、浴室１内での容器２１の温度上昇による内容物の溢れ等の変化を防止することができると共に、入浴者がサウナ入浴中等に内容物の変化等に気を配る煩わしさがなくなり、サウナ入浴等を快適に行うこと等が可能となる。
【００２５】
また、収納部１４の各壁１４ａ、１４ｂ等に噴出孔１６ａを有する噴出管１６を配置して、この噴出管１６を電磁弁１７を介して浴室１に引き込まれる水道配管等の配管（給水源１８）に接続するだけで直接冷却手段を浴室１内に配置できて、直接冷却手段の構成を簡略化することができると共に、冷媒としての冷却水を収納部１４内に効果的に散水させることができる。特に、収納部１４を前面のみが開口する凹部形状に形成して、噴出管１６の噴出孔１６ａを収納部１４の各壁１４ａ、１４ｂ等の開口１４ｅに斜め後方（背面壁１４ｄ側）に向けて設けていることから、この噴出孔１６ａから散水される冷却水を容器２１の外面全域に効率的に直接浴びせて容器２１を効果的に冷却することができる。
【００２６】
さらに、噴出管１６の噴出孔１６ａが収納部１４の後方側（背面壁１４ｄ側）に向けて設けられると共に、この噴出孔１６ａから散水された冷却水が水勾配を有する底面壁１４ｃから洗い場５上に自然に排水されるため、収納部１４内に散水されて容器２１の冷却に使用される冷却水を、収納部１４の各側壁１４ａ〜１４ｄや容器２１の外周面の洗浄水としても使用でき、直接冷却手段の作動により収納部１４自体や容器２１自体を洗浄できて、これらに洗い場５で使用した石けん泡等の付着のない常に清潔な状態を維持することが可能となる。
【００２７】
また、収納部１４がカウターエプロン６ａやバスタブエプロン４ａに配置されているため、洗い場５に座っている入浴者が収納部１４内の容器２１を簡単に出し入れできて、該容器２１の使い勝手の向上を図ることができると共に、容器２１内の内容物の変化が防止されることにより、内容物の温度上昇による特性（性能）劣化等を防止した状態で容器２１を所定期間浴室１内に安定収納できて、内容物を最後まで使用することが可能となる。
【００２８】
図６〜図１２は、本発明に係わる収納構造の他の実施形態を示している。以下、上記実施形態と同一部位には、同一符号を付して説明する。先ず、図６に示す収納構造の特徴は、収納手段として例えばミラーパネル７に設けた収納棚２３を使用し、この収納棚２３に直接冷却手段を配置した点にある。すなわち、ミラーパネル７の例えばミラー１０の右側方下部に棚面２３ａが平面視半円弧形状の収納棚２３を設け、この収納棚２３の棚面２３ａ外周縁部に、内部に冷却水流路が形成された容器落下防止堰２４を設けると共に、この容器落下防止堰２４に噴出孔２４ａを穿設する。また、容器落下防止堰２４の冷却水流路に電磁弁１７を接続すると共に、棚面２３ａ後方側に温度センサ２０を配置する。
【００２９】
そして、この収納棚２３によれば、蒸気発生装置１２が作動した状態で、温度センサ２０が基準温度以上になると、コントローラ１９の開信号により電磁弁１７が開いて、噴出孔２４ａから棚面２３ａ上に冷却水が矢印イの如く散水されて、棚面２３ａ上に収納されている容器２１に直接浴びせられて該容器２１が冷却される。これにより、容器２１の内容物の変化等が防止され、上記実施形態の収納部１４と同様の作用効果を得ることできる他に、収納棚２３の容器落下防止堰２４を前記噴出管１６代わりに使用できて、該防止堰２４の有効利用が図れることになる。なお、この例の場合、容器落下防止堰２４の例えば後端部には、図示しない排水部が設けられており、この排水部から散水された冷却水が下方のカウンター６上に流下するように構成されている。
【００３０】
また、図７に示す収納構造の特徴は、収納手段としてミラーパネル７に設けられ左右一対の支持部材２５で支持された前記収納棚１１のうちの所定の棚板１１ａを使用し、この棚板１１ａの上部のミラーパネル７（もしくは壁パネル２ｂ）に、多数の噴出孔２６ａを有するシャワーノズル２６を配置した点にある。すなわち、ミラーパネル７にシャワーノズル２６を取り付け、このシャワーノズル２６に電磁弁１７を介して給水源１８を接続すると共に、棚板１１ａの後方のミラーパネル７に温度センサ２０を配置する。
【００３１】
そして、温度センサ２０による検出温度が基準温度以上の場合に、コントローラ１９の開信号により電磁弁１７が開いて、給水源１８からシャワーノズル２６に冷却水が供給され、この冷却水がシャワーノズル２６から矢印イの如く散水されて、冷却水が棚板１１ａ上に収納されている容器２１に直接浴びせられて該容器２１が冷却される。これにより、容器２１の内容物の変化等が防止されて、上記実施形態の収納部１４と同様の作用効果を得ることができる他に、既存の棚板１１ａ等であっても簡単に適用できることになる。なお、この例の棚板１１ａ上に散水された冷却水は、棚板１１ａの前端両側に形成された切欠き２７部分から下方のカウンター６上等に流下するようになっている。
【００３２】
さらに、図８及び図９に示す収納構造の特徴は、収納手段を収納ボックス２８で形成し、この収納ボックス２８をカウンター６上方の壁パネル２ｂの前面に突出状態で配置した点にある。すなわち、収納ボックス２８は、図９に示すように、上面に開口２８ｂを有する本体部２８ａと、この本体部２８ａの開口２８ｂを閉塞する蓋体２８ｃ等で形成すると共に、本体部２８ａや蓋体２８ｃに断熱効果を持たせることでクーラボックスのように形成し、この収納ボックス２８を壁パネル２ｂ前面の適宜位置に固着手段で固定して浴室１内に配置する。そして、本体部２８ａの側壁に設けた孔に、電子弁１７が接続された噴出管２９を嵌挿させその先端の噴出孔２９ａを本体部２８ａ内に開口させると共に、本体部２８ａ内に温度センサ２０を配置し、また、本体部２８ａの側壁（もしくは底壁）に排水口３０を形成する。
【００３３】
この収納ボックス２８によれば、温度センサ２０による検出温度が基準温度以上となった際に、コントローラ１９の開信号により電磁弁１７が開いて、噴出管２９から収納ボックス２８の本体部２８内に冷却水が矢印イの如く放水（散水）され、この冷却水が本体部２８ａ内に収納されている容器２１に直接浴びせられて該容器２１が冷却される。これにより、容器２１の内容物の変化等が防止されて、上記実施形態の収納部１４と同様の作用効果を得ることができる他に、収納ボックス２８自体が断熱効果を有することから、蓋体２８ｃを閉じた容器２１の収納状態において浴室１内の温度の影響を受けることが少なくなって、本体部２８ａ内の温度上昇が抑制され、容器２１を所定温度以下に安定して収納できると共に、電磁弁１７の開動作回数（放水回数）を少なくできることになる。
【００３４】
なお、この収納ボックス２８を使用した場合、本体部２８ａを壁パネル２ｂの表面に突出状態で配置する例に限らず、例えば壁パネル２ｂにミラーパネル７を有する場合は、このミラーパネル７にその裏面側の空間を利用して完全（もしくは略半分）埋め込み状態で配置したり、あるいは図８の二点鎖線で示すように、カウンターエプロン６ａやバスタブエプロン４ａのその裏面側に所定の空間が存在する適宜位置に完全埋め込み状態で配置することもできる。この埋め込み（埋設）状態で配置する場合には、開口２８ｂが浴室１内に向きかつ蓋体２８ｃが浴室１方向に開放できる構成に設定される。
【００３５】
また、この収納ボックス２８においては、本体部２８ａ内に冷却水を放水したが、例えば図１０に示すように、噴出管２９が接続される電磁弁１７に冷風ファン３１を接続し、この冷風ファン３１の作動を温度センサ２０と蒸気発生装置１２の作動状態によってコントローラ１９で制御するようにしても良い。このように構成すれば、冷媒として冷気（冷風）を収納ボックス２８内に噴出させて容器２１に直接浴びせて該容器２１を冷却することができる。この場合、送風ファン３１としては例えば浴室１外に配置した換気ファン等を兼用でき、この例においても、収納ボックス２８内の容器２１を冷気で冷却できて、図９に示す例と同様の作用効果が得られる他に、収納ボックス２８からの排水等に気を配る必要がなくなる。
【００３６】
さらにまた、図１１及び図１２に示す収納構造の特徴は、収納手段として壁パネル２ｂ（あるいはミラーパネル７）に設けた棚板３２ａとカバー３２ｂを有する収納棚３２を使用し、この収納棚３２の棚板３２ａとカバー３２ｂ内に間接冷却手段を構成する冷却水流路３３ａ、３３ｂをそれぞれ形成した点にある。すなわち、壁パネル２ｂの所定位置に棚面が半円弧形状の棚板３２ａを配置すると共に、この棚板３２ａの外周鍔部上に透明なアクリル板等からなるカバー３２ｂを着脱可能に配置する。
【００３７】
この時、棚板３２ａの内部には冷却水流路３３ａが形成されて、その一端が電磁弁１７に接続されその他端がカバー３２ｂの冷却水流路３３ｂの一端に接続されると共に、カバー３２ｂに設けた冷却水流路３３ｂの他端が例えば棚板３２ａの後部下面に設けた排水口３４に接続されている。これにより、棚板３２ａの冷却水流路３３ａとカバー３２ｂの冷却水流路３３ｂが直列状態で接続され、電磁弁１７が開いて給水源１８から供給される冷却水が、棚板３２ａの冷却水流路３３ａとカバー３２ｂの冷却水流路３３ｂを流れて排水口３４からカウンター６上（もしくはカウンター６下方の防水パン上）に排水されるようになっている。
【００３８】
この例の収納棚３２によれば、収納空間３５となるカバー３２ｂ内の空気（容器２１の周囲空気）の温度が基準温度以上となった場合に、コントローラ１９の開信号により電磁弁１７が開いて、前述したように棚板３２ａやカバー３２ｂの各冷却水流路３３ａ、３３ｂ内に冷却水が流通して、棚板３２ａとカバー３２ｂの内側の略密閉された収納空間３５の空気が冷やされる。この収納空間３５の空気が冷やされることにより、棚板３２ａ上に収納されている容器２１が間接的に冷却されて内容物の変化等が防止されることになり、上記実施形態の収納部１４と同様の作用効果を得ることができる。
【００３９】
なお、本発明は、上記した各例のそれぞれに限定されるものではなく、例えば図７の収納棚に図６に示す構造を適用して、二点鎖線で示すように、収納棚１１の支持部材２５内に冷却水を流してその噴出孔から棚板１１ａ上に冷却水を散水しても良いし、図１１の収納棚３２において図１０に示す構造を適用して、棚板３２ａやカバー３２ｂ内に冷気を流通させたり、あるいは棚板３２ａとカバー３２ｂで形成される略密閉した収納空間３５に冷気を直接供給する等、各例の全部もしくは一部を適宜に組みあわせることができる。また、本発明に係わる冷媒としては、冷却水や冷気の他に冷蔵庫に使用される冷却ガス等の適宜の冷媒を使用することができるし、冷却水や冷気等の噴出方向も、噴出管１６に設けられる噴出孔１６ａ等の噴出方向を適宜に設定することで、所望方向に設定することができる。
【００４０】
また、上記実施形態においては、収納手段をミラーパネル７あるいはカウンター６上方の壁パネル２ｂに配置する場合について説明したが、例えば洗い場５周囲の適宜の壁パネル２ｃ、２ｄに適宜の収納手段を配置することができる。さらに、上記実施形態においては、蒸気発生装置１２をカウンター６内部に設置する場合について説明したが、例えば図１の二点鎖線で示すように、蒸気発生装置１２を天井パネル３に設置する浴室１にも適用できるし、浴室１の形態や収納手段の形状及び配置位置、浴室１内を暖房する暖房手段等の構成も一例であって、例えば暖房手段として蒸気を発生させない暖房器を使用する等、本発明に係わる各発明の要旨を逸脱しない範囲において適宜に変更することができる。
【産業上の利用可能性】
【００４１】
本発明は、衛生設備室としてのシステムバスルーム等の浴室に限らず、洗面室ユニットやトイレユニット、シャワーユニット等の各種衛生設備室にも適用できる。
【図面の簡単な説明】
【００４２】
【図１】本発明に係わる収納構造を適用した浴室の斜視図
【図２】同そのカウンター部分の斜視図
【図３】同その収納部の縦断面図
【図４】同蒸気発生装置と収納部等の接続状態の説明図
【図５】同その変形例を示すバスタブエプロン部分の斜視図
【図６】本発明に係わる収納構造の他の実施形態を示す斜視図
【図７】本発明に係わる収納構造のさらに他の実施形態を示す斜視図
【図８】本発明に係わる収納構造のさらに他の実施形態を示す斜視図
【図９】同その収納部の斜視図
【図１０】同収納部の変形例を示す斜視図
【図１１】本発明に係わる収納構造のさらに他の実施形態を示す斜視図
【図１２】同その縦断面図
【符号の説明】
【００４３】
１・・・浴室、２ａ〜２ｄ・・・壁パネル、４・・・バスタブ、４ａ・・・バスタブエプロン、６・・・カウンター、６ａ・・・カウンターエプロン、７・・・ミラーパネル、１１・・・収納棚、１１ａ・・・棚板、１２・・・蒸気発生装置、１２ａ・・・制御部、１３・・・吹出口、１４・・・収納部、１４ｅ・・・開口、１６・・・噴出管、１６ａ・・・噴出孔、１７・・・電磁弁、１８・・・給水源、１９・・・コントローラ、２０・・・温度センサ、２１・・・容器、２３・・・収納棚、２４・・・容器落下防止堰、２４ａ・・・噴出孔、２５・・・支持部材、２６・・・シャワーノズル、２６ａ・・・噴出孔、２８・・・収納ボックス、２９・・・噴出管、２９ａ・・・噴出孔、３１・・・冷風ファン、３２・・・収納棚、３２ａ・・・棚板、３２ｂ・・・カバー、３３ａ、３３ｂ・・・冷却水流路、３５・・・収納空間。
【図１】
2006325896.tif 000003
【図２】
2006325896.tif 000004
【図３】
2006325896.tif 000005
【図４】
2006325896.tif 000006
【図５】
2006325896.tif 000007
【図６】
2006325896.tif 000008
【図７】
2006325896.tif 000009
【図８】
2006325896.tif 000010
【図９】
2006325896.tif 000011
【図１０】
2006325896.tif 000012
【図１１】
2006325896.tif 000013
【図１２】
2006325896.tif 000014